(57)【要約】      （修正有）【課題】簡略な構造で，複数の物品間を仕切ることができる梱包容器およびその組み立て方法を提供する。【解決手段】梱包容器１００が，外箱１１０と，この外箱１１０の内部に配置される仕切部材１８０と，この外箱１１０の一対の側板１２２，１２４の上辺に接続され，外箱１１０の内部に挿入されて，仕切部材１８０を保持する一対の保持板と，を具備する。【選択図】図１
2010006430.tif 000002
【特許請求の範囲】
【請求項１】
略矩形状の底板と，この底板の辺それぞれに対応して順に配置される第１〜第４の側板と，この底板に対向する略矩形状の第１の開口部と，を有する外箱と，
前記外箱の内部に配置され，前記第１，第３の側板にそれぞれ近接または接触して配置される第５，第６の側板と，前記外箱の内部を少なくとも一方が仕切る第７，第８の側板と，前記第１の開口部と対応して配置される第２の開口部とを有する仕切部材と，
前記第１の側板の上辺に接続され，前記第１の開口部から前記外箱の内部に挿入されて，前記仕切部材を保持する第１の保持板と，
前記第３の側板の上辺に接続され，前記第１の開口部から前記外箱の内部に挿入されて，前記仕切部材を保持する第２の保持板と，
を具備することを特徴とする梱包容器。
【請求項２】
前記第１，第２の保持板の少なくとも一方が，前記第２の開口部から前記仕切部材の内部に挿入される
ことを特徴とする請求項１記載の梱包容器。
【請求項３】
前記第１，第２の保持板の少なくともいずれかが，前記仕切部材の外部に配置される
ことを特徴とする請求項１記載の梱包容器。
【請求項４】
前記外箱の内部に配置され，前記第１，第３の側板にそれぞれ近接または接触して配置される第９，第１０の側板と，前記外箱の内部を少なくとも一方が仕切る第１１，第１２の側板と，前記第１の開口部と対応して配置される第３の開口部とを有する第２の仕切部材と，
前記第１の側板の上辺に接続され，前記第１の開口部から前記外箱の内部に挿入されて，前記第２の仕切部材を保持する第３の保持板と，
前記第３の側板の上辺に接続され，前記第１の開口部から前記外箱の内部に挿入されて，前記第２の仕切部材を保持する第４の保持板と，
をさらに具備することを特徴とする請求項１記載の梱包容器。
【請求項５】
前記第１の側板の下辺に接続され，前記外箱の内部に配置されて，前記第１の仕切部材を保持する第５の保持板と，
前記第３の側板の下辺に接続され，前記外箱の内部に配置されて，前記第２の仕切部材を保持する第６の保持板と，
をさらに具備することを特徴とする請求項１記載の梱包容器。
【請求項６】
外箱の内部に仕切部材を挿入するステップと，
前記仕切部材を第１，第２の保持板で保持するステップと，を具備し，
前記外箱が，略矩形状の底板と，この底板の辺それぞれに対応して順に配置される第１〜第４の側板と，この底板に対向する略矩形状の第１の開口部と，を有し，
前記仕切部材が，第５〜第８の側板と，第２の開口部とを有し，
前記第１，第２の保持板がそれぞれ，前記第１，第３の側板の上辺に接続され，
前記挿入するステップにおいて，前記第５，第６の側板がそれぞれ前記第１，第３の側板に近接または接触して配置され，前記第７，第８の側板の少なくとも一方が前記外箱の内部を仕切り，前記第２の開口部が前記第１の開口部と対応して配置され，
前記保持するステップにおいて，前記第１，第２の保持板が前記第１の開口部から前記外箱の内部に挿入される
ことを特徴とする梱包容器の組み立て方法。
【発明の詳細な説明】
【技術分野】
【０００１】
本発明は，物を梱包する梱包容器およびその組み立て方法に関する。
【背景技術】
【０００２】
種々の物品（例えば，電気製品）が箱等の梱包容器に梱包されて輸送される。例えば，電子部品などを収納する部品収納カートンが公開されている（特許文献１参照）。
【特許文献１】特開平９−１４２４４７号公報
【発明の開示】
【発明が解決しようとする課題】
【０００３】
ここで，梱包容器内に複数の物品を配置する場合，これら物品間を仕切板等で仕切る必要が生じる。梱包容器が輸送中に傾くことを考慮すると，梱包容器内に配置される仕切板が梱包容器に対して保持されることが好ましい。しかしながら，梱包容器内に配置される仕切板を固定することが必要となり，梱包容器の構造が複雑になり易い。
【０００４】
本発明は，簡略な構造で，複数の物品間を仕切ることができる梱包容器およびその組み立て方法を提供することを目的とする。
【課題を解決するための手段】
【０００５】
本発明の一態様に係る梱包容器は，略矩形状の底板と，この底板の辺それぞれに対応して順に配置される第１〜第４の側板と，この底板に対向する略矩形状の第１の開口部と，を有する外箱と，前記外箱の内部に配置され，前記第１，第３の側板にそれぞれ近接または接触して配置される第５，第６の側板と，前記外箱の内部を少なくとも一方が仕切る第７，第８の側板と，前記第１の開口部と対応して配置される第２の開口部とを有する仕切部材と，前記第１の側板の上辺に接続され，前記第１の開口部から前記外箱の内部に挿入されて，前記仕切部材を保持する第１の保持板と，前記第３の側板の上辺に接続され，前記第１の開口部から前記外箱の内部に挿入されて，前記仕切部材を保持する第２の保持板と，を具備する。
【０００６】
本発明の一態様に係る梱包容器の組み立て方法は，外箱の内部に仕切部材を挿入するステップと，前記仕切部材を第１，第２の保持板で保持するステップと，を具備し，前記外箱が，略矩形状の底板と，この底板の辺それぞれに対応して順に配置される第１〜第４の側板と，この底板に対向する略矩形状の第１の開口部と，を有し，前記仕切部材が，第５〜第８の側板と，第２の開口部とを有し，前記第１，第２の保持板がそれぞれ，前記第１，第３の側板の上辺に接続され，前記挿入するステップにおいて，前記第５，第６の側板がそれぞれ前記第１，第３の側板に近接または接触して配置され，前記第７，第８の側板の少なくとも一方が前記外箱の内部を仕切り，前記第２の開口部が前記第１の開口部と対応して配置され，前記保持するステップにおいて，前記第１，第２の保持板が前記第１の開口部から前記外箱の内部に挿入される。
【発明の効果】
【０００７】
本発明によれば，簡略な構造で，複数の物品間を仕切ることができる梱包容器およびその組み立て方法を提供できる。
【発明を実施するための最良の形態】
【０００８】
以下，図面を参照して，本発明の実施の形態を詳細に説明する。
（第１の実施の形態）
図１は本発明の第１実施形態に係る梱包容器１００を表す斜視図である。梱包容器１００は，外箱１１０，仕切部材１８０（１８０Ａ,１８０Ｂ）を有する。図２，図３は，それぞれ外箱１１０，仕切部材１８０を表す斜視図である。図２は，外箱１１０を展開した状態を表わす。
【０００９】
外箱１１０は，例えば，段ボール等の紙から構成され，底板１１１，側板１２１〜１２４，上蓋板１３１〜１３４，押さえ板１４１〜１４４を有する。
【００１０】
底板１１１は略矩形状である。図２に示すように，外箱１１０は底蓋板１５１〜１５４を有する。底蓋板１５１，１５３を閉じ，必要に応じて，これらの間の隙間を粘着テープ（例えば，荷造り用テープ）で封止することで，底板１１１が構成される。なお，図１では，判りやすさのために，底蓋板１５１〜１５４の図示を省略している。
【００１１】
側板１２１〜１２４は略矩形状であり，底板１１１の辺に対応して順に配置される。外箱１１０は，側板１２１〜１２４の上辺を境界とする開口１６１を有し，この開口１６１から仕切部材１８０，物品（電気製品あるいは電気製品用の部材）等を外箱１１０内に搬入できる。
【００１２】
上蓋板１３１〜１３４は略矩形状でそれぞれ，側板１２１〜１２４の上辺と接続され，この上辺を軸として開閉できる（いわゆるフラップ）。上蓋板１３１，１３３を操作することで，開口１６１を閉じることができる。上蓋板１３２，１３４には，押さえ板１４１〜１４４が配置される。上蓋板１３２，１３４を切り欠くことで，この押さえ板１４１〜１４４を形成できる。押さえ板１４１〜１４４は，仕切部材１８０の中に挿入され，仕切部材１８０を保持する。なお，この詳細は後述する。
【００１３】
仕切部材１８０は，例えば，段ボール等の紙から構成され，略矩形状の側板１８１〜１８４を有する（いわゆるスリーブ形状）。仕切部材１８０の上下は開放されている（開口１８５，１８６を有する）。図１に示すように，これらの側板１８１〜１８４と外箱１１０の側板１２１〜１２４とが対応するように，仕切部材１８０が外箱１１０内に配置される。側板１８１，１８３は，外箱１１０内を仕切り，複数の物品を梱包容器１００に配置するのが容易になる。
【００１４】
この実施形態では，仕切部材１８０Ａ，１８０Ｂによって，外箱１１０の内部が４つに仕切られる。即ち，本実施形態では，仕切部材１８０Ａの側板１８１は外箱１１０の側板１２１に近接または接触し，梱包容器１００を仕切る役割を果たしてはいない。但し，外箱１１０の側板１２２，１２４の幅を広くすることで，仕切部材１８０Ａの側板１８１によって外箱１１０をさらに仕切ることが可能である。この場合，外箱１１０の内部が５つに仕切られることになる。一方，外箱１１０の側板１２２，１２４の幅を狭くすることで，仕切部材１８０Ｂの側板１８３を外箱１１０の側板１２３に近接または接触させても良い。この場合，外箱１１０の内部が３つに仕切られることになる。
【００１５】
側板１８２，１８４は，外箱１１０の内部で，側板１２２，１２４に近接または接触する。仕切部材１８０Ａ，１８０Ｂそれぞれの側板１８２に押さえ板１４１，１４２が対応する。仕切部材１８０Ａ，１８０Ｂそれぞれの側板１８４に押さえ板１４３，１４４が対応する。仕切部材１８０Ａ，１８０Ｂ内に押さえ板１４１〜１４４が挿入されることで，仕切部材１８０Ａ，１８０Ｂの移動が制限される。即ち，押さえ板１４１〜１４４は，仕切部材を保持する保持板として機能する。
【００１６】
仕切部材１８０の側板１８２，１８４と押さえ板１４１〜１４４は固定されることが好ましい。例えば，粘着テープで，側板１８２，１８４と押さえ板１４１〜１４４を固定することができる。また，側板１８２，１８４に切れ込みを入れて，押さえ板１４１〜１４４の端部を挿入することで，これらを固定することができる。この場合，押さえ板１４１〜１４４の端部を先細形状（例えば，三角形，台形）とすることが好ましい。
【００１７】
図４は，梱包容器１００の上面の一部を拡大した状態を表す拡大上面図である。図５は，梱包容器１００を図４の５−５で切断した状態を表す拡大断面図である。仕切部材１８０Ａの内部に，押さえ板１４１が挿入され，その先端が側板１２３に設けられた切れ込みＨに挿入されている。
【００１８】
ここで，外箱１１０の内部に仕切板を挿入しても良い。図６は，梱包容器１００に４枚の仕切板１９１を挿入した状態を表す斜視図である。また，図７は，このときの梱包容器１００の上面の一部を拡大した状態を表す拡大上面図である。なお，図７では梱包対象としての物品Ｐが梱包容器１００内に配置されている。
【００１９】
仕切板１９１は，略矩形状であり，例えば，段ボール等の紙から構成される。仕切部材１８０Ａ，１８０Ｂの内部および外部に仕切板１９１が配置されることで，外箱１１０の内部が８つに区分され，外箱１１０の内部に８つの物品Ｐが配置されている。なお，この仕切板１９１の枚数は適宜に変更することができる。例えば，仕切部材１８０Ａ，１０８Ｂの内部あるいは外部に３枚以上の仕切板１９１を配置して，外箱１１０内に配置する物品Ｐの個数を増やすことができる。
【００２０】
ここで，この仕切板１９１は外箱１１０あるいは仕切部材１８０Ａ，１０８Ｂに固定されていない。但し，何らかの手段（例えば，粘着テープ）によって，仕切板１９１を固定することも可能である。
なお，仕切部材１８０Ａ，１８０Ｂの幅の半分程度の幅の物品Ｐを梱包することが，梱包容器１００内での物品Ｐのがたつきを低減する上で好ましい。
【００２１】
（比較例）
図８，図９はそれぞれ，本発明の比較例１，２に係る梱包容器１００Ｘ，１００Ｙを表す斜視図である。梱包容器１００Ｘは外箱１１０Ｘの内部に仕切板１９１Ｘを配置している。
【００２２】
仕切板１９１Ｘは外箱１１０Ｘに固定されていない。このため，外箱１１０Ｘ内での仕切板１９１Ｘ，ひいては物品の移動を制限できない。特に，仕切板１９１Ｘの間の一部に物品を挿入した場合，梱包容器１００Ｘが傾くことで，物品が大きく移動し，輸送時等に物品が破損する可能性がある。
【００２３】
梱包容器１００Ｙは外箱１１０Ｙの内部に４つの仕切部材１８０Ｙを配置している。外箱１１０Ｙの内部に仕切部材１８０Ｙが互いに密着して配置される。このため，外箱１１０Ｙの内部で，仕切部材１８０Ｙが移動することが防止される。
【００２４】
梱包容器１００Ｙは，梱包容器１００と同様に，外箱１１０Ｙの内部が４つに仕切られている。しかしながら，梱包容器１００と比較して，梱包容器１００Ｙでは倍の個数の仕切部材１８０Ｙが用いられている。このため，梱包容器１００Ｙのコストの増大を招く。また，仕切部材１８０Ｙの側板の厚さを考慮すると，同一の物品を梱包するのに，外箱１１０より大きな外箱１１０Ｙが必要となる。
【００２５】
これに対して，本発明の実施形態に係る梱包容器１００では，梱包容器１００Ｙに対してより少ない個数の仕切部材１８０を利用し，しかも外箱１１０に簡便に固定することができる。具体的には，以下の（１），（２）の利点を有する。
（１）仕切部材１８０の数量を低減できる。この結果，梱包容器１００の小型化，軽量化，低価格化を図れる。
（２）外箱１１０に仕切部材１８０を挿入し，保持することで，外箱１１０の内部を区切り，梱包容器１００内での物品の移動を制限できる。その結果，輸送時等での物品の破損を防止できる。また，外箱１１０内の区切りの全てに物品を充填しなくても良い。
【００２６】
（梱包容器１００の組み立て手順）
以下，梱包容器１００の組み立て手順につき説明する。図１０は，梱包容器１００の組み立て手順の一例を表すフロー図である。また，図１１Ａ〜図１１Ｆはこの組み立て手順での梱包容器１００の状態を表す斜視図である。
【００２７】
（１）外箱１１０の組み立て（ステップＳ１１）
外箱１１０を組み立てる。図１１Ａ，図１１Ｂはそれぞれ，組み立て前後の外箱１１０を表す斜視図である。外箱１１０の底蓋板１５１〜１５４を閉じることで，底板１１１が形成される。
【００２８】
（２）外箱１１０への仕切部材１８０の挿入・固定（ステップＳ１２，Ｓ１３）
外箱１１０内に仕切部材１８０Ａ，１８０Ｂが挿入，固定される。図１１Ｃ，図１１Ｄはそれぞれ，外箱１１０内に仕切部材１８０Ａ，１８０Ｂを挿入した状態，その後に固定した状態を表す斜視図である。外箱１１０内に挿入された仕切部材１８０Ａ，１８０Ｂの内部に押さえ板１４１〜１４４が挿入されることで，仕切部材１８０Ａ，１８０Ｂが外箱１１０に固定される。既述のように，仕切部材１８０Ａ，１８０Ｂと外箱１１０の固定を強化するために，例えば，押さえ板１４１〜１４４の先端が仕切部材１８０Ａ，１８０Ｂの側板１８２，１８４の切り込みＨに挿入することが考えられる。以上のようにして，外箱１１０の内部が４つに区切られる。
【００２９】
（３）外箱１１０への物品Ｐ，仕切板１９１の挿入（ステップＳ１４）
外箱１１０の４つの区切りそれぞれに，２つの物品Ｐおよびこれら物品Ｐの間に配置される仕切板１９１が挿入される。
【００３０】
（４）外箱１１０の閉塞（ステップＳ１５）
外箱１１０を閉じる。即ち，外箱１１０の上蓋板１３１〜１３４を閉じることで，上板が形成される。図１１Ｅは，外箱１１０を閉じた状態を表す斜視図である。判りやすさのために，物品Ｐ，および仕切板１９１の図示を省略している。
【００３１】
（第２の実施の形態）
本発明の第２の実施形態を説明する。
図１２は，本発明の第２の実施形態に係る梱包容器２００を表す斜視図である。梱包容器２００は，外箱２１０，仕切部材１８０（１８０Ａ,１８０Ｂ）を有する。図１３は，外箱２１０を表す斜視図である。外箱２１０は，例えば，段ボール等の紙から構成され，底板２１１，側板１２１〜１２４，上蓋板１３１〜１３４，押さえ板１４１〜１４４，２４１〜２４４を有する。底板２１１は，底蓋板１５１，２５２，１５３，２５４から構成される。
【００３２】
押さえ板１４１〜１４４と対称に，側板１２２，１２４の下辺に押さえ板２４１〜２４４が配置される。この押さえ板２４１〜２４４は，底蓋板２５２，２５４を切り欠いて形成できる。押さえ板２４１〜２４４によって，仕切部材１８０Ａ,１８０Ｂの下部での移動をより確実に防止できる。即ち，仕切部材１８０の上下を押さえ板１４１〜１４４，２４１〜２４４で保持することで，仕切部材１８０の固定の確実性がより向上する。
【００３３】
ここで，仕切部材１８０の側板１８２，１８４と押さえ板２４１〜２４４は固定されることが好ましい。例えば，粘着テープで，側板１８２，１８４と押さえ板２４１〜２４４を固定することができる。また，側板１８２，１８４に切れ込みを入れて，押さえ板１４１〜１４４の端部を挿入することで，これらを固定することができる。この場合，押さえ板１４１〜１４４の端部を先細形状（例えば，三角形，台形）とすることが好ましい。
【００３４】
（第３の実施の形態）
本発明の第３の実施形態を説明する。
図１４は，本発明の第３の実施形態に係る梱包容器３００を表す斜視図である。梱包容器３００は，外箱３１０，仕切部材１８０（１８０Ａ,１８０Ｂ）を有する。図１３は，外箱２１０を表す斜視図である。外箱３１０は，例えば，段ボール等の紙から構成され，底板３１１，側板１２１〜１２４，上蓋板１３１〜１３４，押さえ板１４１〜１４４，３４１〜３４４を有する。底板３１１は，底蓋板１５１，３５２，１５３，３５４から構成される。
【００３５】
押さえ板１４１〜１４４と非対称に，側板１２２，１２４の下辺に押さえ板３４１〜３４４が配置される。この押さえ板３４１〜３４４は，底蓋板３５２，３５４を切り欠いて形成できる。この押さえ板３４１〜３４４は，仕切部材１８０の内部ではなく，外部に配置される。このように，仕切部材１８０の内部ではなく，外部に押さえ板３４１〜３４４を配置することでも，仕切部材１８０の下部を固定することができる。
【００３６】
ここで，仕切部材１８０の側板１８１，１８３と押さえ板３４１〜３４４は固定されることが好ましい。例えば，粘着テープで，側板１８１，１８３と押さえ板３４１〜３４４を固定することができる。また，側板１８１，１８３に切れ込みを入れて，押さえ板３４１〜３４４の側部をこの切れ込みと対応する突起形状としても良い。押さえ板３４１〜３４４の側部の突起を側板１８１，１８３の切れ込みに挿入することで，これらを固定することができる。この場合，この突起を先細形状（例えば，三角形，台形）とすることが好ましい。
【００３７】
（その他の実施形態）
本発明の実施形態は上記の実施形態に限られず拡張，変更可能であり，拡張，変更した実施形態も本発明の技術的範囲に含まれる。例えば，梱包容器３００に準じて，梱包容器１００，２００での押さえ板１４１〜１４４，２４１〜２４４を仕切部材１８０の外部に配置することも可能である。即ち，押さえ板１４１〜１４４，２４１〜２４４，３４１〜３４４を仕切部材１８０の内部，外部のいずれに配置するかを，適宜に組み合わせることができる。
【図面の簡単な説明】
【００３８】
【図１】本発明の第１実施形態に係る梱包容器１００を表す斜視図である。
【図２】展開した状態の外箱１１０を表す斜視図である。
【図３】仕切部材１８０を表す斜視図である。
【図４】梱包容器１００の上面の一部を表す拡大上面図である。
【図５】梱包容器１００を切断した状態を表す拡大断面図である。
【図６】梱包容器１００に仕切板１９１を挿入した状態を表す斜視図である。
【図７】梱包容器１００に物品および仕切板１９１を挿入した状態を表す拡大上面図である。
【図８】本発明の比較例１に係る梱包容器１００Ｘを表す斜視図である。
【図９】本発明の比較例２に係る梱包容器１００Ｙを表す斜視図である。
【図１０】梱包容器１００の組み立て手順の一例を表すフロー図である。
【図１１Ａ】組み立て手順中での梱包容器１００の状態の一例を表す斜視図である。
【図１１Ｂ】組み立て手順中での梱包容器１００の状態の一例を表す斜視図である。
【図１１Ｃ】組み立て手順中での梱包容器１００の状態の一例を表す斜視図である。
【図１１Ｄ】組み立て手順中での梱包容器１００の状態の一例を表す斜視図である。
【図１１Ｅ】組み立て手順中での梱包容器１００の状態の一例を表す斜視図である。
【図１２】本発明の第２実施形態に係る梱包容器２００を表す斜視図である。
【図１３】展開した状態の外箱２１０を表す斜視図である。
【図１４】本発明の第３実施形態に係る梱包容器３００を表す斜視図である。
【図１５】展開した状態の外箱３１０を表す斜視図である。
【符号の説明】
【００３９】
１００  梱包容器
１１０  外箱
１１１  底板
１２１-１２４  側板
１３１-１３４  上蓋板
１４１-１４４  押さえ板
１５１-１５４  底蓋板
１６１  開口
１８０  仕切部材
１８１-１８４  側板
１９１  仕切板
【図１】
2010006430.tif 000003
【図２】
2010006430.tif 000004
【図３】
2010006430.tif 000005
【図４】
2010006430.tif 000006
【図５】
2010006430.tif 000007
【図６】
2010006430.tif 000008
【図７】
2010006430.tif 000009
【図８】
2010006430.tif 000010
【図９】
2010006430.tif 000011
【図１０】
2010006430.tif 000012
【図１１Ａ】
2010006430.tif 000013
【図１１Ｂ】
2010006430.tif 000014
【図１１Ｃ】
2010006430.tif 000015
【図１１Ｄ】
2010006430.tif 000016
【図１１Ｅ】
2010006430.tif 000017
【図１２】
2010006430.tif 000018
【図１３】
2010006430.tif 000019
【図１４】
2010006430.tif 000020
【図１５】
2010006430.tif 000021
【手続補正書】
【提出日】平成21年4月13日(2009.4.13)
【手続補正１】
【補正対象書類名】特許請求の範囲
【補正対象項目名】全文
【補正方法】変更
【補正の内容】
【特許請求の範囲】
【請求項１】
略矩形状の底板（１１１）と，この底板の辺それぞれに対応して順に配置される第１〜第４の側板（１２２，１２３，１２４，１２１）と，この底板に対向する略矩形状の第１の開口部（１６１）と，前記第１，第３の側板それぞれの上辺に接続される第１，第２の上蓋板（１３１，１３３）と，を有する外箱（１１０）と，
前記外箱の内部に前記第２の側板（１２３）と離間して配置され，前記第１，第３の側板にそれぞれ近接または接触して配置される第５，第６の側板（１８２，１８４）と，前記外箱の内部を少なくとも一方が仕切る第７，第８の側板（１８１，１８３）と，前記第１の開口部と対応して配置される第２の開口部（１８５）とを有する第１の仕切部材（１８０Ｂ）と，
前記第１の側板の上辺に接続され，前記第１の開口部から前記外箱の内部に挿入されて，前記第１の仕切部材（１８０Ｂ）を保持する第１の保持板（１４２）と，
前記第３の側板の上辺に接続され，前記第１の開口部から前記外箱の内部に挿入されて，前記第１の仕切部材（１８０Ｂ）を保持する第２の保持板（１４４）と，を具備し，
前記第１の保持板が前記第１の上蓋板の一部を切り欠いて構成され，かつ前記第１の上蓋板の残部が一体的に構成され，
前記第２の保持板が前記第２の上蓋板の一部を切り欠いて構成され，かつ前記第２の上蓋板の残部が一体的に構成され，
前記第２の側板（１２３）と前記第１の仕切部材（１８０Ｂ）の間，および前記第１の仕切部材（１８０Ｂ）内それぞれに，前記外箱の内部が区分される，
ことを特徴とする梱包容器（１００，２００，３００）。
【請求項２】
前記第１，第２の保持板（１４２，１４４）の少なくとも一方が，前記第２の開口部（１８５）から前記第１の仕切部材（１８０Ｂ）の内部に挿入される
ことを特徴とする請求項１記載の梱包容器（１００，２００，３００）。
【請求項３】
前記第１，第２の保持板（１４２，１４４）の少なくともいずれかが，前記第１の仕切部材（１８０Ｂ）の外部に配置される
ことを特徴とする請求項１記載の梱包容器（１００，２００，３００）。
【請求項４】
前記第４の側板（１２１）と前記第１の仕切部材（１８０Ｂ）とが離間し，
前記第２の側板（１２３）と前記第１の仕切部材（１８０Ｂ）の間，前記第１の仕切部材（１８０Ｂ）内，および前記第１の仕切部材（１８０Ｂ）と前記第４の側板（１２１）の間それぞれに，前記外箱（１１０）の内部が区分される，
ことを特徴とする請求項１記載の梱包容器（１００，２００，３００）。
【請求項５】
前記第５，第６の側板（１８２，１８４）が，前記第１，第２の保持板（１４２，１４４）の先端が挿入される切れ込みを有する
ことを特徴とする請求項１記載の梱包容器（１００，２００，３００）。
【請求項６】
前記外箱（１１０），第１の仕切部材（１８０Ｂ），前記第１，第２の保持板（１４２，１４４）が段ボールから構成される
ことを特徴とする請求項１記載の梱包容器（１００，２００，３００）。
【請求項７】
前記外箱（１１０）の内部の，前記第１の仕切部材（１８０Ｂ）と前記第４の側板（１２１）の間に，前記第１の仕切部材（１８０Ｂ）と離間して配置され，前記第１，第３の側板にそれぞれ近接または接触して配置される第９，第１０の側板（１８２，１８４）と，前記外箱（１１０）の内部を少なくとも一方が仕切る第１１，第１２の側板（１８１，１８３）と，前記第１の開口部と対応して配置される第３の開口部（１８５）とを有する第２の仕切部材（１８０Ａ）と，
前記第１の側板（１２２）の上辺に接続され，前記第１の開口部（１６１）から前記外箱（１１０）の内部に挿入されて，前記第２の仕切部材（１８０Ａ）を保持する第３の保持板（１４１）と，
前記第３の側板（１２４）の上辺に接続され，前記第１の開口部（１６１）から前記外箱（１１０）の内部に挿入されて，前記第２の仕切部材（１８０Ａ）を保持する第４の保持板（１４３）と，をさらに具備し，
前記第１，第３の保持板（１４２，１４１）が前記第１の上蓋板（１３２）の一部を切り欠いて構成され，前記第１の上蓋板（１３２）の残部が一体的に構成され，
前記第２，第４の保持板（１４４，１４２）が前記第２の上蓋板（１３４）の一部を切り欠いて構成され，かつ前記第２の上蓋板（１３４）の残部が一体的に構成され，
前記第３の側板と前記第１の仕切部材（１８０Ｂ）の間，前記第１の仕切部材（１８０Ｂ）内，前記第１，第２の仕切部材（１８０Ｂ，１８０Ａ）の間，および前記第２の仕切部材（１８０Ａ）内それぞれに，前記外箱（１１０）の内部が区分される，
ことを特徴とする請求項１記載の梱包容器（１００，２００，３００）。
【請求項８】
前記第４の側板（１２１）と前記第２の仕切部材（１８０Ａ）とが離間し，
前記第３の側板（１２４）と前記第１の仕切部材（１８０Ｂ）の間，前記第１の仕切部材（１８０Ｂ）内，前記第１，第２の仕切部材（１８０Ｂ，１８０Ａ）の間，前記第２の仕切部材（１８０Ａ）内，および前記第２の仕切部材（１８０Ａ）と前記第４の側板（１２１）の間それぞれに，前記外箱（１１０）の内部が区分される，
ことを特徴とする請求項７記載の梱包容器（１００，２００，３００）。
【請求項９】
前記第１の側板の下辺に接続され，前記外箱（１１０）の内部に配置されて，前記第１の仕切部材（１８０Ｂ）を保持する第５の保持板（２４２）と，
前記第３の側板の下辺に接続され，前記外箱（１１０）の内部に配置されて，前記第１の仕切部材（１８０Ｂ）を保持する第６の保持板（２４４）と，をさらに具備し，
前記外箱（１１０）が，前記第１，第３の側板それぞれの下辺に接続される第１，第２の下蓋板（２５２，２５４）を有し，
前記第５の保持板（２４２）が前記第１の下蓋板（２５２）の一部を切り欠いて構成され，かつ前記第１の下蓋板（２５２）の残部が一体的に構成され，
前記第６の保持板（２４４）が前記第２の下蓋板（２５４）の一部を切り欠いて構成され，かつ前記第２の下蓋板（２５４）の残部が一体的に構成される，
ことを特徴とする請求項１記載の梱包容器（２００，３００）。
【請求項１０】
外箱（１１０）の内部に仕切部材（１８０Ｂ）を挿入するステップと，
前記仕切部材（１８０Ｂ）を第１，第２の保持板（１４２，１４４）で保持するステップと，を具備し，
前記外箱（１１０）が，略矩形状の底板（１１１）と，この底板の辺それぞれに対応して順に配置される第１〜第４の側板（１２２，１２３，１２４，１２１）と，この底板に対向する略矩形状の第１の開口部（１６１）と，前記第１，第３の側板それぞれの上辺に接続される第１，第２の上蓋板（１３１，１３３）と，を有し，
前記仕切部材（１８０Ｂ）が，第５〜第８の側板（１８２，１８４，１８１，１８３）と，第２の開口部（１８５）とを有し，
前記第１，第２の保持板（１４２，１４４）がそれぞれ，前記第１，第３の側板の上辺に接続され，
前記第１の保持板が前記第１の上蓋板の一部を切り欠いて構成され，かつ前記第１の上蓋板の残部が一体的に構成され，
前記第２の保持板が前記第２の上蓋板の一部を切り欠いて構成され，かつ前記第２の上蓋板の残部が一体的に構成され，
前記挿入するステップにおいて，前記第２の側板（１２３）と前記仕切部材（１８０Ｂ）が離間して配置され，前記第５，第６の側板（１８２，１８４）がそれぞれ前記第１，第３の側板（１２２，１２４）に近接または接触して配置され，前記第７，第８の側板（１８３，１８１）の少なくとも一方が前記外箱（１１０）の内部を仕切り，前記第２の開口部（１８５）が前記第１の開口部（１６１）と対応して配置され，かつ前記第３の側板（１２４）と前記仕切部材（１８０Ｂ）の間，および前記仕切部材（１８０Ｂ）内それぞれに，前記外箱（１１０）の内部が区分され，
前記保持するステップにおいて，前記第１，第２の保持板（１４２，１４４）が前記第１の開口部（１６１）から前記外箱（１１０）の内部に挿入される，
ことを特徴とする梱包容器（１００，２００，３００）の組み立て方法。
【手続補正書】
【提出日】平成21年6月24日(2009.6.24)
【手続補正１】
【補正対象書類名】特許請求の範囲
【補正対象項目名】全文
【補正方法】変更
【補正の内容】
【特許請求の範囲】
【請求項１】
略矩形状の底板（１１１）と，この底板の辺それぞれに対応して順に配置される第１〜第４の側板（１２２，１２３，１２４，１２１）と，この底板に対向する略矩形状の第１の開口部（１６１）と，前記第１，第３の側板それぞれの上辺に接続される第１，第２の上蓋板（１３２，１３４）と，を有する外箱（１１０）と，
前記外箱の内部に前記第２の側板（１２３）と離間して配置され，前記第１，第３の側板にそれぞれ近接または接触して配置される第５，第６の側板（１８２，１８４）と，前記外箱の内部を少なくとも一方が仕切る第７，第８の側板（１８１，１８３）と，前記第１の開口部と対応して配置される第２の開口部（１８５）とを有する第１の仕切部材（１８０Ｂ）と，
前記第１の側板の上辺に接続され，前記第１の開口部から前記外箱の内部に挿入されて，前記第１の仕切部材（１８０Ｂ）を保持する第１の保持板（１４２）と，
前記第３の側板の上辺に接続され，前記第１の開口部から前記外箱の内部に挿入されて，前記第１の仕切部材（１８０Ｂ）を保持する第２の保持板（１４４）と，
前記外箱（１１０）の内部の，前記第１の仕切部材（１８０Ｂ）と前記第４の側板（１２１）の間に，前記第１の仕切部材（１８０Ｂ）と離間して配置され，前記第１，第３の側板にそれぞれ近接または接触して配置される第９，第１０の側板（１８２，１８４）と，前記外箱（１１０）の内部を少なくとも一方が仕切る第１１，第１２の側板（１８１，１８３）と，前記第１の開口部と対応して配置される第３の開口部（１８５）とを有する第２の仕切部材（１８０Ａ）と，
前記第１の側板（１２２）の上辺に接続され，前記第１の開口部（１６１）から前記外箱（１１０）の内部に挿入されて，前記第２の仕切部材（１８０Ａ）を保持する第３の保持板（１４１）と，
前記第３の側板（１２４）の上辺に接続され，前記第１の開口部（１６１）から前記外箱（１１０）の内部に挿入されて，前記第２の仕切部材（１８０Ａ）を保持する第４の保持板（１４３）と，を具備し，
前記第１，第３の保持板が前記第１の上蓋板の一部を切り欠いて構成され，かつ前記第１の上蓋板の残部が一体的に構成され，
前記第２，第４の保持板が前記第２の上蓋板の一部を切り欠いて構成され，かつ前記第２の上蓋板の残部が一体的に構成され，
前記第２の側板（１２３）と前記第１の仕切部材（１８０Ｂ）の間，前記第１の仕切部材（１８０Ｂ）内，前記第１，第２の仕切部材（１８０Ｂ，１８０Ａ）の間，および前記第２の仕切部材（１８０Ａ）内それぞれに，前記外箱の内部が区分される，
ことを特徴とする梱包容器（１００，２００，３００）。
【請求項２】
前記第１乃至第４の保持板（１４２，１４４，１４１，１４３）の少なくともいずれかが，前記第２の開口部（１８５）から前記第１または前記第２の仕切部材（１８０Ｂ，１８０Ａ）の内部に挿入される
ことを特徴とする請求項１記載の梱包容器（１００，２００，３００）。
【請求項３】
前記第１乃至第４の保持板（１４２，１４４，１４１，１４３）の少なくともいずれかが，前記第１または前記第２の仕切部材（１８０Ｂ，１８０Ａ）の外部に配置される
ことを特徴とする請求項１記載の梱包容器（１００，２００，３００）。
【請求項４】
前記第５，第６，第９，第１０の側板（１８２，１８４）の少なくともいずれかが，前記第１乃至第４の保持板（１４２，１４４，１４１，１４３）の先端が挿入される切れ込みを有する
ことを特徴とする請求項１記載の梱包容器（１００，２００，３００）。
【請求項５】
前記外箱（１１０），第１，第２の仕切部材（１８０Ｂ，１８０Ａ），前記第１乃至第４の保持板（１４２，１４４，１４１，１４３）が段ボールから構成される
ことを特徴とする請求項１記載の梱包容器（１００，２００，３００）。
【請求項６】
前記第４の側板（１２１）と前記第２の仕切部材（１８０Ａ）とが離間し，
前記第２の側板（１２３）と前記第１の仕切部材（１８０Ｂ）の間，前記第１の仕切部材（１８０Ｂ）内，前記第１，第２の仕切部材（１８０Ｂ，１８０Ａ）の間，前記第２の仕切部材（１８０Ａ）内，および前記第２の仕切部材（１８０Ａ）と前記第４の側板（１２１）の間それぞれに，前記外箱（１１０）の内部が区分される，
ことを特徴とする請求項１記載の梱包容器（１００，２００，３００）。
【請求項７】
前記第１の側板の下辺に接続され，前記外箱（１１０）の内部に配置されて，前記第１の仕切部材（１８０Ｂ）を保持する第５の保持板（２４２）と，
前記第３の側板の下辺に接続され，前記外箱（１１０）の内部に配置されて，前記第１の仕切部材（１８０Ｂ）を保持する第６の保持板（２４４）と，
前記第１の側板の下辺に接続され，前記外箱（１１０）の内部に配置されて，前記第２の仕切部材（１８０Ａ）を保持する第７の保持板（２４１）と，
前記第３の側板の下辺に接続され，前記外箱（１１０）の内部に配置されて，前記第２の仕切部材（１８０Ａ）を保持する第８の保持板（２４３）と，をさらに具備し，
前記外箱（１１０）が，前記第１，第３の側板それぞれの下辺に接続される第１，第２の下蓋板（２５２，２５４）を有し，
前記第５，第７の保持板（２４２，２４１）が前記第１の下蓋板（２５２）の一部を切り欠いて構成され，かつ前記第１の下蓋板（２５２）の残部が一体的に構成され，
前記第６，第８の保持板（２４４，２４３）が前記第２の下蓋板（２５４）の一部を切り欠いて構成され，かつ前記第２の下蓋板（２５４）の残部が一体的に構成される，
ことを特徴とする請求項１記載の梱包容器（２００，３００）。
【請求項８】
外箱（１１０）の内部に第１，第２の仕切部材（１８０Ｂ，１８０Ａ）を挿入するステップと，
前記第１の仕切部材（１８０Ｂ）を第１乃至第４の保持板（１４２，１４４，１４１，１４３）で保持するステップと，を具備し，
前記外箱（１１０）が，略矩形状の底板（１１１）と，この底板の辺それぞれに対応して順に配置される第１〜第４の側板（１２２，１２３，１２４，１２１）と，この底板に対向する略矩形状の第１の開口部（１６１）と，前記第１，第３の側板それぞれの上辺に接続される第１，第２の上蓋板（１３２，１３４）と，を有し，
前記第１の仕切部材（１８０Ｂ）が，第５〜第８の側板（１８２，１８４，１８１，１８３）と，第２の開口部（１８５）とを有し，
前記第２の仕切部材（１８０Ａ）が，第９〜第１２の側板（１８２，１８４，１８１，１８３）と，第３の開口部（１８５）とを有し，
前記第１，第２の保持板（１４２，１４４）がそれぞれ，前記第１，第３の側板の上辺に接続され，
前記第３，第４の保持板（１４１，１４３）がそれぞれ，前記第１，第３の側板の上辺に接続され，
前記第１，第３の保持板が前記第１の上蓋板の一部を切り欠いて構成され，かつ前記第１の上蓋板の残部が一体的に構成され，
前記第２，第４の保持板が前記第２の上蓋板の一部を切り欠いて構成され，かつ前記第２の上蓋板の残部が一体的に構成され，
前記挿入するステップにおいて，前記第２の側板（１２３）と前記第１の仕切部材（１８０Ｂ）が離間して配置され，前記第５，第６の側板（１８２，１８４）がそれぞれ前記第１，第３の側板（１２２，１２４）に近接または接触して配置され，前記第１，第２の仕切部材（１８０Ｂ，１８０Ａ）が離間して配置され，前記第９，第１０の側板（１８２，１８４）がそれぞれ前記第１，第３の側板（１２２，１２４）に近接または接触して配置され，前記第２，第３の開口部（１８５）が前記第１の開口部（１６１）と対応して配置され，かつ前記第２の側板（１２３）と前記第１の仕切部材（１８０Ｂ）の間，前記第１の仕切部材（１８０Ｂ）内，前記第１，第２の仕切部材（１８０Ｂ，１８０Ａ）の間，および前記第２の仕切部材（１８０Ａ）内それぞれに，前記外箱（１１０）の内部が区分され，
前記保持するステップにおいて，前記第１乃至第４の保持板（１４２，１４４，１４１，１４３）が前記第１の開口部（１６１）から前記外箱（１１０）の内部に挿入される，
ことを特徴とする梱包容器（１００，２００，３００）の組み立て方法。